(57)【特許請求の範囲】
【請求項１】
床面に据え置かれ、周側板の下端に床面上のごみを内部空間に向かって吸引する吸引口が形成された箱形の掃除機本体と、
前記内部空間より上方の掃除機本体内に仕切り板を介して画成され、該仕切り板に設けられた連通部を介して、前記内部空間と連通された真空室と、
前記吸引口と内部空間とを仕切り板に形成した管孔を介して連通する吸引管と、
前記内部空間に、密封可能なごみ収納袋を上向きに開口して膨張させた状態で保持する袋保持部材と、
前記掃除機本体の内部空間を、前記真空室を介して負圧化する電動式の吸引装置とを備え、
前記吸引口から吸い込んだごみを、吸引管および管孔を介して、このごみ収納袋内に捕集する据え置き式電動掃除機であって、
前記袋保持部材は、該袋保持部材の周方向の略全域を、前記掃除機本体の周側板に対して内側から弾性的に押し付ける筒形状を有する弾性体で構成するとともに、
前記真空室内の連通部に箱形フィルタを配設した据え置き式電動掃除機。
【請求項２】
前記袋保持部材は、上側の筒形状の保持筒と、この保持筒から垂下された押さえ用の保持板とを有する請求項１に記載の据え置き式電動掃除機。
【発明の詳細な説明】
【技術分野】
【０００１】
この発明は据え置き式電動掃除機、詳しくは床などに常時設置される据え置き式電動掃除機に関する。
【背景技術】
【０００２】
従来の据え置き式電動掃除機として、例えば特許文献１に記載されたものが知られている。
特許文献１の据え置き式電動掃除機は、図４および図５に示すように、キャスタ１００により走行可能な箱形の本体１０１を有している。本体１０１の底部の後部分には真空モータ１０２が収納されている。本体１０１の後板には、真空モータ１０２との対向部分に排出口１０３が形成されている。本体１０１の底板の前端には、床面に対向した下向きの吸引口１０４が形成されている。本体１０１の前側部分には、下端部が吸引口１０４と連通した吸引路１０５が画成されている。吸引路１０５の上端は、上部導孔１０６を介して、本体１０１の上部空間に連通されている。上部空間の下方には、ネット形状のごみ収納袋１０７を収納可能な大型のごみ収納空間１０８が画成されている。また、本体１０１の前板にはごみ出し口１０９が形成され、本体１０１の上板には大型ごみ投入用の投入口１１０が形成されている。ごみ出し口１０９は横蓋１１１により開閉自在で、投入口１１０は上蓋１１２により開閉自在に構成されている。
【０００３】
次に、特許文献１の据え置き式電動掃除機の作動を説明する。
図４および図５に示すように、真空モータ１０２を駆動すると、本体１０１の内部で負圧力が発生し、床面上のごみが吸引口１０４から吸引路１０５に垂直に吸い上げられる。次いで、ごみは上部導孔１０６から上部空間を通過してごみ収納空間１０８に吸い出され、ごみ収納袋１０７に捕集される。また、ごみ収納空間１０８の内部空気はごみ収納袋１０７の編み目を通り、排出口１０３から大気開放される。
【特許文献１】実開平５−８０４４３号公報
【発明の開示】
【発明が解決しようとする課題】
【０００４】
しかしながら、特許文献１の据え置き式電動掃除機では、以下の問題点があった。
(1) ごみを吸引する吸引口１０４は、本体１０１の底板に下向きに形成されていた。そのため、吸引口１０４と床面との間には、略キャスタ１００の高さ分の大きな隙間が現出する。これにより、床面上のごみを取り残しなく吸引するには、高出力の真空モータ１０２が必要となり、価格が高騰するおそれがあった。
(2) また、特許文献１では、真空モータ１０２の負圧力はごみ収納袋１０７の編み目を通し、吸引口１０４に作用されている。そのため、大型となるごみ収納袋１０７は、空気を通過可能なネット形状またはフィルタ形状でなければならない。その結果、ごみ捕集後の処理の容易性を考慮し、使い捨て方式のごみ収納袋を採用しようとすれば、ランニングコストが嵩むおそれがあった。
【０００５】
そこで、この発明は、低出力の安価な駆動部を利用しても良好にごみを捕集することができ、またビニール袋などの安価なごみ収納袋を使用してランニングコストを低減することができる据え置き式電動掃除機を提供することを目的としている。
この発明は、大きな吸引力が得られるにも拘らず、ごみ吸引系路のごみによる詰まりを防止することができる据え置き式電動掃除機を提供することを目的としている。
この発明は、掃除機本体の内部空間において、ごみ捕収納袋をその略最大限の膨張状態で堅固に保持することができる据え置き式電動掃除機を提供することを目的としている。
【課題を解決するための手段】
【０００６】
請求項１に記載の発明は、床面に据え置かれ、周側板の下端に床面上のごみを内部空間に向かって吸引する吸引口が形成された箱形の掃除機本体と、前記内部空間より上方の掃除機本体内に仕切り板を介して画成され、該仕切り板に設けられた連通部を介して、前記内部空間と連通された真空室と、前記吸引口と内部空間とを仕切り板に形成した管孔を介して連通する吸引管と、前記内部空間に、密封可能なごみ収納袋を上向きに開口して膨張させた状態で保持する袋保持部材と、前記掃除機本体の内部空間を、前記真空室を介して負圧化する電動式の吸引装置とを備え、前記吸引口から吸い込んだごみを、吸引管および管孔を介して、このごみ収納袋内に捕集する据え置き式電動掃除機であって、前記袋保持部材は、該袋保持部材の周方向の略全域を、前記掃除機本体の周側板に対して内側から弾性的に押し付ける筒形状を有する弾性体で構成するとともに、前記真空室内の連通部に箱形フィルタを配設した据え置き式電動掃除機である。
【０００７】
請求項１に記載の発明によれば、吸引装置を作動させると真空室が負圧化し、連通部を介して、掃除機本体の内部空間が負圧化される。これにより、例えば吸引口の付近に箒により掃き寄せられた床面上のごみが、吸引口から掃除機本体の内部空間に吸引され、ごみ収納袋に捕集される。
このように、掃除機本体が床に据え置きされ、吸引口が周側板の下端に形成されることで、吸引口と床面との間にほとんど隙間が存在しない。そのため、従来のように吸引口と床面との間に大きな隙間が存在するときに比べて、低出力の安価な駆動部を利用しても良好にごみを捕集することができる。
また、内部空間の負圧化は、内部空間上に仕切り板により画成された真空室および連通部を介して行われる。そのため、従来のようにごみ収納袋として、ネット形状の高価なごみ収納袋ではなく、ビニール袋などの安価な汎用袋を採用することができる。その結果、ランニングコストを低減することができる。
【０００８】
掃除機本体が床に据え置きされるとは、掃除機本体の底面の一部または全部が床に直接接触し、掃除機本体が容易には動かない状態をいう。
掃除機本体の素材、大きさは限定されない。掃除機本体の形状は限定されない。例えば、縦長または横長な６面体のボックスなどを採用することができる。
掃除機本体は据え置きタイプである。ただし、通常は据え置き状態でありながら、必要に応じて、掃除機本体に収納された例えばキャスタ、車輪、タイヤなどの走行部（押しまたは引きによる手動走行でも、自動走行でもよい）を下方に突出させ、移動自在としてもよい。
吸引口は、掃除機本体の前板、後板、左右の側板の何れに形成してもよい。
【０００９】
吸引口を掃除機本体の周側板の下端に形成するとは、吸引口の下辺を略床面に接するように周側板に形成することをいう。吸引口の形成数は１つでもよいし、２つ以上でもよい。
掃除機本体の内部には、ごみ収納袋が収納される内部空間と、その上方に仕切り板を介して画成された真空室とが形成されている。内部空間と真空室とは仕切り板に設けられた連通部を通して連通されている。真空室の一部または全部に、石綿などのフィルタ材を充填してもよい。
【００１０】
連通部としては、単なる連通口、連通管などを採用することができる。また、任意形状の連通路でもよい。
ごみ収納袋の素材は限定されない。例えば、ビニール、ポリエチレン、ポリプロピレンなどの各種の合成樹脂を採用することができる。また、紙でもよい。ごみ収納袋は、例えばビニール袋のような密封可能な袋である。
ごみ収納袋の大きさ、形状、使用枚数は限定されない。
【００１１】
袋保持部材の素材、大きさ、形状は限定されない。要は、掃除機本体の内部空間で、ごみ収納袋を膨張状態で保持することができればよい。
【００１２】
吸引装置としては、例えば電動モータにより出力軸を回転させて回転羽根を回転させる電動ファンを採用することができる。そのほか、吸引用のコンプレッサを内蔵した負圧装置などでもよい。吸引装置は、掃除機本体の内部に配置してもよいし、掃除機本体の外部に配置してもよい。吸引装置を外部配置する一例として、掃除機本体に形成された排気口に、市販の掃除機のホースを連通することが挙げられる。市販の掃除機を利用するので、掃除機本体内に組み込まれる吸引装置およびフィルタを不要にすることができる。
【００１３】
請求項２に記載の発明は、前記袋保持部材は、上側の筒形状の保持筒と、この保持筒から垂下された押さえ用の保持板とを有する請求項１に記載の据え置き式電動掃除機据え置き式電動掃除機である。
【００１４】
袋保持部材は、袋保持部材の略全域を、掃除機本体に内側から押し付け可能な筒形状を有した弾性体であるので、掃除機本体の内部空間において、袋保持部材の弾性力によりごみ収納袋をその略最大限の膨張状態でしっかりと保持することができる。これにより、連通部を介して、真空室の負圧力により掃除機本体の内部空間が負圧化しても、ごみ収納袋が連通部に向かって吸い寄せられて潰れない。その結果、常時、ごみ収納袋内に大きなごみの収納空間を保持することができる。
【００１５】
袋保持部材は、筒形状であれば限定されない。例えばその断面形状としては、円形、楕円形、三角形、四角形以上の多角形状が挙げられる。ここでいう密封とは、ごみ収納袋の口を密閉した状態で、袋を通して空気の流通がない状態をいう。
【発明の効果】
【００１６】
請求項１に記載の発明によれば、掃除機本体を床に据え置きタイプとし、吸引口を周側板の下端に形成したので、吸引口と床面との間にほとんど隙間が存在しない。これにより、低出力の安価な駆動部でも良好にごみを捕集することができる。
また、内部空間の負圧化には、内部空間の上方に画成された真空室を利用するように構成したので、従来のネット形状を有する高価なごみ収納袋ではなく、ビニール袋などの安価な汎用袋の使用が可能になる。その結果、ランニングコストを低減することができる。
【００１７】
特に、請求項２に記載の発明によれば、袋保持部材の略全域を、掃除機本体に内側から押し付け可能な筒形状を有する弾性体としたので、掃除機本体の内部空間において、ごみ収納袋をその略最大限の膨張状態でしっかりと保持することができる。これにより、ごみ収納袋内に、常時、大きなごみの収納空間を保持することができる。
【発明を実施するための最良の形態】
【００１８】
以下、この発明の実施例を図面を参照して説明する。
【実施例１】
【００１９】
図１〜図３において、１０はこの発明の実施例１に係る据え置き式電動掃除機で、この据え置き式電動掃除機１０は、底面が床に接触した状態で据え置きされ、前板（周側板）の下端に床面上のごみを内部空間１３に向かって吸引する吸引口１１が形成された縦長な箱形の掃除機本体１２と、内部空間１３より上方の掃除機本体１２内に上側の仕切り板１４を介して画成され、上側の仕切り板１４に設けられた連通孔（連通部）１５を介して内部空間１３と連通された真空室１６と、上側の仕切り板１４の真空室１６側に装着され、連通孔１５をゆとりをもって覆う箱形フィルタ１７と、掃除機本体１２の内部空間１３に、開口して膨張させた状態で収納されるビニール袋（ごみ収納袋）１８と、掃除機本体１２の内部空間１３で、ビニール袋１８を膨張状態で保持する袋保持部材１９と、掃除機本体１２の内部空間１３を負圧化する電動式のファン２０（吸引装置）とを備えている。
【００２０】
以下、これらの構成体を詳細に説明する。
掃除機本体１２は合成樹脂からなる縦型の直方体の容器（容積５０リットル前後）で、上面に開口部が形成され、この開口部に蓋体２１が着脱自在に取り付けられている。掃除機本体１２は、４つの周側面のうち、短幅な一方の面を前面とする。これにより、前面と対向する面を後面、前方から見て左側の面を左面、前方から見て右側の面を右面する。
【００２１】
掃除機本体１２の内部空間１３の下端部には、下側の仕切り板２２を介して、配管室２３が画成されている。配管室２３は、掃除機本体１２の左右方向に長い横仕切り枠２４により、比較的空間が狭い前側の部分配管室２５と、比較的空間が広い後側の部分配管室２６とに区画されている。また、後側の部分配管室２６は、掃除機本体１２の前後方向に長い縦仕切り枠２７により、前端部が広い左後側の部分配管室２６Ａと、後端部が広い右後側の部分配管室２６Ｂとに区画されている。縦仕切り枠２７は、掃除機本体１２の後方に向かうほど徐々に左側に屈曲した平面視してヘの字形状の枠である。なお、ファン２０より下流側である右後側の部分配管室２６Ｂに、石綿などのフィルタを収納してもよい。これにより、ビニール袋１８により捕集できなかったごみの外部排出の防止と、騒音の低減化を図ることができる。
【００２２】
横仕切り枠２４の右端部にはファン孔が形成され、ファン孔には、右前側の部分配管室２５と内部通路が連通した前記ファン２０が装着されている。ファン２０は、電動モータの出力軸に複数枚の回転羽根が固着された構造を有している。掃除機本体１２の後板には、右後側の部分配管室２６Ｂと連通する排出口２８が形成されている。排出口２８にはフィルタを装着してもよい。また、横仕切り枠２４の長さ方向の中間部の左側には管孔２４ａが形成されている。下側の仕切り板２２の後左側の隅部には、別の管孔２２ａが形成されている。一方、下側の仕切り板２２の前右側の隅部には、前側の部分配管室２５に連通する、軸線方向に直交する面で断面視して直角三角形状を有した管孔２２ｂが形成されている。前側の部分配管室２５から左後側の部分配管室２６Ａにかけては、先側の開口部が横仕切り枠２４の管孔２４ａを介して吸引口１１に連通され、元側の開口部が下側の仕切り板２２の管孔２２ａに連通された第１の吸引管２９が収納されている。
【００２３】
管孔２２ａには、掃除機本体１２の後左側の隅部に沿って垂直に延びる第２の吸引管３０の下端部が連通されている。管孔２２ｂには、掃除機本体１２の前右側の隅部に沿って垂直に延びる、断面視して直角三角形状を有した排出管３１の下端部が連通されている。第２の吸引管３０の上端部および排出管３１の上端部には、ゴムパッキン３２がそれぞれ装着されている。掃除機本体１２の前板の上端右側部にはファン２０への通電をＯＮ・ＯＦＦするスイッチ３３が設けられている。
【００２４】
蓋体２１の内部には、蓋体２１の下端の開口部を塞ぐ上側の仕切り板１４により、前記真空室１６が画成されている。上側の仕切り板１４は取り外し自在に蓋体２１に嵌合またはビス止めされている。これにより、例えば箱形フィルタ１７に目詰まりが発生した場合に、箱形フィルタ１７の清浄または交換などが簡単になる。
上側の仕切り板１４の左後側の隅部には、第２の吸引管３０が連通される管孔１４ａが形成されている。また、上側の仕切り板１４の右前側の隅部には、排出管３１の上端部が連通される、平面視して直角三角形状を有した管孔１４ｂが形成されている。さらに、上側の仕切り板１４の中央後側には、別の管孔１４ｃが形成されている。上側の仕切り板１４の真空室１６側には、左後側の隅部の管孔１４ａと別の管孔１４ｃとを連通する下向きＵ字形状の第３の吸引管３４が立設されている。また、上側の仕切り板１４の右後側の隅部付近には、直径５０ｍｍの前記連通孔１５が形成されている。
【００２５】
上側の仕切り板１４の真空室１６側には、連通孔１５をゆとりをもって覆うように、前記箱形フィルタ１７が装着されている。連通孔１５に代えて管状の連通部としてもよい。箱形フィルタ１７は、平面視して前後方向に長い矩形状の６面体である。箱形フィルタ１７の素材は限定されない。例えば、多孔質のセラミックス、多孔質の金属、多孔質の合成樹脂、紙または布帛（不織布を含む）などでもよい。ここでは、紙製のフィルタを採用している。箱形フィルタ１７の形状は、例えば３面体、４面体、５面体、７面体以上でもよい。箱フィルタ１７の大きさは限定されない。連通孔１５を、所定の大きさの空間を介して、真空室側から覆うことができればよい。なお、箱形フィルタ１７に代えて、平坦な平板フィルタを採用してもよい。
【００２６】
前記袋保持部材１９は、掃除機本体１２の上部に弾性的に内嵌される、平面視して掃除機本体１２の前後方向に長い略矩形状を有した保持筒３５と、保持筒３５の左右の側板の下端部のうち、各側板の長さ方向の中間部の内側から垂下された１対または２対の保持板３６とから構成されている（図１，図３には１対の場合を示す）。
保持筒３５の後左側の隅部には、平面視して長さ方向の中間部が筒内側に突出した円弧形状の凹部３５ａが、保持筒３５の高さ方向の全長にわたって形成されている。凹部３５ａは、第２の吸引管３０を掃除機本体１２と保持筒３５との間に介在させるために必要である。また、保持筒３５の前右側の隅部には、平面視して面取り形状を有した別の凹部３５ｂが、保持筒３５の高さ方向の全長にわたって形成されている。別の凹部２５ｂは、排出管３１を掃除機本体１２と保持筒３５との間に介在させるために必要である。
【００２７】
次に、実施例１に係る据え置き式電動掃除機１０の使用方法を説明する。
図１〜図３に示すように、まず、大型のビニール袋１８を広げ、その袋内に袋保持部材１９を挿入する。具体的には、ビニール袋１８の上端部から高さ方向の中間部までに保持筒３５が挿入され、袋の開口状態が保持される。しかも、ビニール袋１８の下部は、各保持板３６により袋の開口状態が保持される。ビニール袋１８は、孔やスリットが形成されていない密封可能な袋である。
その後、袋保持部材１９を掃除機本体１２の内部空間１３に弾性的に内嵌する。これにより、ビニール袋１８が掃除機本体１２と保持筒３５との間で所定の弾性力により挟持された状態で、保持筒３５が掃除機本体１２の上部に圧入される。こうして、各保持板３６が掃除機本体１２の左右の側板の内側に押し付けられる。その結果、ビニール袋１８は、掃除機本体１２の内部空間１３に、開口して膨張された状態で収納される。なお、ビニール袋１８の上端部は、内部空間１３に折り込む。また、ビニール袋１８の下部は、各保持板３６により部分的に保持されているだけである。そのため、ビニール袋１８の下部は、内部空間１３の領域内で任意に膨れることができる。これにより、保持筒３５を内部空間１３の全域まで拡大した場合に比べて、保持筒３５のコンパクト化、低コスト化を図ることができる。しかも、ごみも多量に捕集することができる。
【００２８】
次に、蓋体２１により掃除機本体１２の上側の開口部を塞ぐ。これにより、第２の吸引管３０と第３の吸引管３４が連通されるとともに、管孔１４ｂを介して、排出管３１と真空室１６とが連通される。
スイッチ３３を入れてファン２０を作動させると、真空室１６が負圧化する。これにより、連通孔１５を介して、掃除機本体１２の内部空間１３が負圧化される。これにより、吸引口１１の付近まで箒により掃き寄せられた床面上のごみが、吸引口１１から第１〜第３の吸引管２９，３０，３４を通して掃除機本体１２の内部空間１３に吸引され、ビニール袋１８に捕集される。
実施例１の据え置き式電動掃除機１０では、このように掃除機本体１２が床に据え置きされ、吸引口１１を周側板の下端に形成している。そのため、吸引口１１と床面との間にほとんど隙間が存在しない。その結果、従来のように下向きの吸引口１１と床面との間に、略キャスタの高さ分の大きな隙間が存在する場合に比べて、低出力で安価なファン２０を利用して良好にごみを捕集することができる。
【００２９】
また、内部空間１３の負圧化は、上側の仕切り板１４を介して、内部空間１３の上方に画成された真空室１６を用いて行われる。そのため、従来のようにごみ収納袋として、ネット形状の高価なごみ収納袋ではなく、安価なビニール袋１８を採用することができる。その結果、ランニングコストを低減することができる。
内部空間１３の負圧化は、上側の仕切り板１４および連通孔１５を介して、真空室１６を利用して行われている。連通孔１５の大きさは、例えばφ４０〜５０ｍｍ程度と小さい方が低出力のファン２０でも真空室１６の真空度を高めやすく、吸引口１１の負圧力も増大する。しかしながら、その分、連通孔１５を通過する空気の流速は高まり、内部空間１３に吸引された例えば髪（ごみ）は、真空室１６に吸い込まれやすい。そのため、吸い込まれた髪は、その後、掃除機本体１２の外に排出され、掃除したはずの床面を再び汚してしまう。
【００３０】
これを解消するため、例えば連通孔１５に平坦な平板フィルタを装着することが考えられる。しかしながら、平板フィルタを採用すれば、実質的なフィルタの大きさは連通孔１５の開口面積と略同じで小さくなる。そのため、短時間で目詰まりが発生し、フィルタ交換を頻繁に行わなければならない。
そこで、実施例１では、上側の仕切り板１４の真空室１６側に連通孔１５を覆う箱形フィルタ１７を装着している。これにより、表面積が連通孔１５に平板フィルタを装着した場合に比べて大きくなる。しかも、箱形フィルタ１７を使用すれば、仮に連通孔１５を小さくして吸引口１１に大きな吸引力を与えるように構成しても、連通孔１５に目詰まりが発生しにくい。さらに、箱形フィルタ１７を真空室１６に設けたので、内部空間１３の容積もフィルタの形成によって縮小されない。
【図面の簡単な説明】
【００３１】
【図１】この発明の実施例１に係る据え置き式電動掃除機の分解斜視図である。
【図２】この発明の実施例１に係る据え置き式電動掃除機の底部の横断面図である。
【図３】この発明の実施例１に係る据え置き式電動掃除機の縦断面図である。
【図４】従来手段に係る据え置き式電動掃除機の斜視図である。
【図５】従来手段に係る据え置き式電動掃除機の縦断面図である。
【符号の説明】
【００３２】
１０  据え置き式電動掃除機、
１１  吸引口、
１３  内部空間、
１２  掃除機本体、
１４  仕切り板、
１５  連通孔（連通部）、
１６  真空室、
１８  ビニール袋（ごみ収納袋）、
１９  袋保持部材、
２０  ファン（吸引装置）。
【要約】
【課題】
低出力の安価な駆動部でも良好にごみが捕集可能で、空気を通さない安価なごみ収納袋を使用し、ランニングコストを低減可能な据え置き式電動掃除機を提供する。
【解決手段】
掃除機本体１２が床に据え置きし、吸引口１１を掃除機本体１２の前板の下端に形成したので、吸引口１１と床面との間に隙間が存在せず、低出力の安価なファン２０でも良好にごみを捕集できる。内部空間１３の負圧化は、内部空間１３上の真空室１６を利用するので、従来のネット形状を有する高価なごみ収納袋ではなく、安価なビニール袋１８を使
用できる。その結果、ランニングコストの低減が図れる。
【選択図】図１
【図１】
0003546050.tif 000002
【図２】
0003546050.tif 000003
【図３】
0003546050.tif 000004
【図４】
0003546050.tif 000005
【図５】
0003546050.tif 000006